(57)【要約】      （修正有）【課題】無線通信システムにおけるＰＤＳＣＨ受信時の電力節約方法のための方法および装置を提供する。【解決手段】方法は、ＵＥが、ＰＤＳＣＨ（物理下りリンク共有チャネル）のための時間領域リソース割り当てテーブルの設定を受信するステップと、ＵＥが、帯域幅部分のための第１の持続時間の指示を受信することを含み、時間領域リソース割り当てテーブル内の少なくとも１つのエントリは、第２の持続時間に関連付けられ、第１の持続時間は、ＰＤＳＣＨの時間領域割り当てを制限するステップと、を含む。【選択図】図１８
2020022159.tif 000002
【特許請求の範囲】
【請求項１】
基地局のための方法であって、
ＰＤＳＣＨ（物理下りリンク共有チャネル）のための時間領域リソース割り当てテーブルでＵＥ（ユーザ機器）を設定することと、
第１の持続時間の指示を送信することであって、前記時間領域リソース割り当てテーブル内の少なくとも１つのエントリは、第２の持続時間に関連付けられ、該第１の持続時間は、ＰＤＳＣＨの時間領域割り当てを制限する、送信すること、を含む方法。
【請求項２】
前記ＵＥから前記第１の持続時間の所望値を受信することをさらに含む、請求項１に記載の方法。
【請求項３】
前記少なくとも１つのエントリで前記ＵＥをスケジュールすることを禁止することをさらに含む、請求項１に記載の方法。
【請求項４】
前記第１の持続時間は、ＤＣＩ（下りリンク制御情報）によって示される時間領域リソース割り当ての最も早い開始シンボルを前記ＵＥに通知する、請求項１に記載の方法。
【請求項５】
前記第１の持続時間は、前記ＵＥがＤＣＩ（下りリンク制御情報）の受信および／またはＤＣＩ復号を完了するのに必要な時間に従って決定される、請求項１に記載の方法。
【請求項６】
前記第１の持続時間は、前記ＵＥがその受信帯域幅を調整するのに必要な時間に従って決定される、請求項１に記載の方法。
【請求項７】
前記第１の持続時間は、前記ＵＥがＰＤＳＣＨの受信のための準備が整うのに必要な時間に従って決定される、請求項１に記載の方法。
【請求項８】
前記第１の持続時間は、前記ＵＥがＰＤＳＣＨ受信を準備するのに必要な時間に従って決定される、請求項１に記載の方法。
【請求項９】
前記第１の持続時間は、帯域幅部分に対するものである、請求項１に記載の方法。
【請求項１０】
前記第２の持続時間は、前記第１の持続時間より短い、請求項１に記載の方法。
【請求項１１】
ＵＥ（ユーザ機器）のための方法であって、
ＰＤＳＣＨ（物理下りリンク共有チャネル）のための時間領域リソース割り当てテーブルの設定を受信することと、
第１の持続時間の指示を受信することであって、前記時間領域リソース割り当てテーブル内の少なくとも１つのエントリが第２の持続時間に関連付けられ、前記第１の持続時間はＰＤＳＣＨの時間領域割り当てを制限する、受信することと、を含む方法。
【請求項１２】
前記第１の持続時間の所望値を基地局に報告することをさらに含む、請求項１１に記載の方法。
【請求項１３】
前記第１の持続時間に基づいて、潜在的なＰＤＳＣＨを受信するか、あるいはバッファするかを決定することをさらに含む、請求項１１に記載の方法。
【請求項１４】
前記第１の持続時間は、ＤＣＩによって示される時間領域リソース割り当ての最も早い開始シンボルを前記ＵＥに通知する、請求項１１に記載の方法。
【請求項１５】
前記第１の持続時間は、前記ＵＥがＤＣＩ受信および／またはＤＣＩ復号を完了するのに必要な時間に従って決定される、請求項１１に記載の方法。
【請求項１６】
前記第１の持続時間は、前記ＵＥがＰＤＳＣＨ受信を準備するのに必要な時間に従って決定される、請求項１１に記載の方法。
【請求項１７】
前記第１の持続時間は、前記ＵＥがその受信帯域幅を調整するのに必要な時間に従って決定される、請求項１１に記載の方法。
【請求項１８】
前記第１の持続時間は、帯域幅部分に対するものである、請求項１１に記載の方法。
【請求項１９】
前記ＵＥは、前記ＵＥがＤＣＩ受信および／またはＤＣＩ復号を完了するのに必要な時間よりも前記第１の持続時間が短い場合、潜在的なＰＤＳＣＨを受信する、あるいはバッファする、請求項１１に記載の方法。
【請求項２０】
前記ＵＥは、前記ＵＥがＤＣＩ受信および／またはＤＣＩ復号を完了するのに必要な時間よりも前記第１の持続時間が短くない場合、潜在的なＰＤＳＣＨを受信しない、あるいはバッファしない、請求項１１に記載の方法。
【請求項２１】
ＰＤＳＣＨ送信の開始シンボルと対応するＤＣＩ（下りリンク制御情報）の間の第３の持続時間は、前記第１の持続時間より短くない、請求項１１に記載の方法。
【請求項２２】
前記第２の持続時間は、前記第１の持続時間より短い、請求項１１に記載の方法。
【発明の詳細な説明】
【技術分野】
【０００１】
本願は、２０１８年７月２７日に出願された米国仮特許出願第６２／７１１，２８１号の利益を主張するものであり、そのすべての開示は全体として参照により本明細書に援用される。
【０００２】
この開示は、概して、無線通信ネットワークに関連し、より詳細には、無線通信システムにおけるＰＤＳＣＨ受信時の電力節約方法のための方法および装置に関する。
に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、およびオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰおよびマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展および確定に向けて検討されている。
【発明の概要】
【０００５】
方法および装置は、ユーザ機器（ＵＥ）の観点から開示される。一実施形態では、本方法は、ＵＥが、ＰＤＳＣＨ（物理下りリンク共有チャネル：Physical  Downlink  Shared  Channel）のための時間領域リソース割り当てテーブルの設定を受信することを含む。本方法はまた、ＵＥが、帯域幅部分のための第１の持続時間の指示を受信することを含み、時間領域リソース割り当てテーブル内の少なくとも１つのエントリは、第２の持続時間に関連付けられ、第１の持続時間は、ＰＤＳＣＨの時間領域割り当てを制限する。
【図面の簡単な説明】
【０００６】
【図１】例示的な一実施形態による無線通信システムの図を示す。
【図２】例示的な一実施形態による送信機システム（アクセスネットワークとしても知られている）および受信機システム（ユーザ機器またはＵＥとしても知られている）のブロック図である。
【図３】例示的な一実施形態による通信デバイスの機能ブロック図である。
【図４】例示的な一実施形態による図３のプログラムコードの機能ブロック図である。
【図５】３ＧＰＰ  ＴＳ  ３８．２１４  Ｖ１５．２．０の表５．１．２．１−１の複製である。
【図６】３ＧＰＰ  ＴＳ  ３８．２１４  Ｖ１５．２．０の表５．１．２．１−２の複製である。
【図７】３ＧＰＰ  ＴＳ  ３８．２１４  Ｖ１５．２．０の表５．１．２．１．１−１の複製である。
【図８】３ＧＰＰ  ＴＳ  ３８．２１４  Ｖ１５．２．０の表５．１．２．１．１−２の複製である。
【図９】３ＧＰＰ  ＴＳ  ３８．２１４  Ｖ１５．２．０の表５．１．２．１．１−３の複製である。
【図１０】３ＧＰＰ  ＴＳ  ３８．２１４  Ｖ１５．２．０の表５．１．２．１．１−４の複製である。
【図１１】３ＧＰＰ  ＴＳ  ３８．２１４  Ｖ１５．２．０の表５．１．２．１．１−５の複製である。
【図１２】３ＧＰＰ  ＴＳ  ３８．２１４  Ｖ１５．２．０の表５．１．２．２．１−１の複製である。
【図１３】３ＧＰＰ  ＴＳ  ３８．２１４  Ｖ１５．２．０の表５．３−１の複製である。
【図１４】３ＧＰＰ  ＴＳ  ３８．２１４  Ｖ１５．２．０の表５．３−２の複製である。
【図１５】例示的な一実施形態による図である。
【図１６】例示的な一実施形態による図である。
【図１７】例示的な一実施形態によるフローチャートである。
【図１８】例示的な一実施形態によるフローチャートである。
【図１９】例示的な一実施形態によるフローチャートである。
【発明を実施するための形態】
【０００７】
以下に説明する例示的な無線通信システムおよびデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、３ＧＰＰ  ＮＲ（New  Radio）またはその他何らかの変調技術に基づいてよい。
【０００８】
特に、以下に説明する例示的な無線通信システムおよびデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、TS  38.214  V15.2.0,  “Physical  layer  procedures  for  data”;  TS  38.212  V15.2.0  (2018-6),  “  Multiplexing  and  channel  coding”;  TS  38.211  V15.2.0,  “Physical  channels  and  modulation”;  TS  38.321  V15.2.0,  “Medium  Access  Control  (MAC)  protocol  specification”;  TS  38.213  V15.2.0,  “Physical  layer  procedures  for  control”;  およびR1-1710838,  “Cross-Slot  Scheduling  for  UE  Power  Saving”,  MediaTek  Incを含む。上記に挙げた標準および文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４および１０６、別のグループは１０８および１１０、また別のグループは１１２および１１４を含む。図１においては、各アンテナグループに対して、アンテナが２つしか示されていないが、より多くのあるいはより少ないアンテナが各アンテナグループに利用されてよい。アクセス端末１１６（ＡＴ）は、アンテナ１１２および１１４と通信しており、アンテナ１１２および１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６および１０８と通信しており、アンテナ１０６および１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、および１２６は通信に異なる周波数を使用してよい。例えば、順方向リンク１２０では、逆方向リンク１１８によって使用される周波数とは異なる周波数を使用してよい。
【００１０】
アンテナの各グループおよび／またはアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０および１２６を介した通信において、アクセスネットワーク１００の送信アンテナは、異なるアクセス端末１１６および１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局または基地局でよく、アクセスポイント、ノードＢ、基地局、拡張型基地局、進化型ノードＢ（ｅＮＢ）、またはその他何らかの専門用語で呼ばれることもある。アクセス端末（ＡＴ）は、ユーザ機器（ＵＥ）、無線通信デバイス、端末、アクセス端末、またはその他何らかの専門用語で呼ばれることもある。
【００１３】
図２は、ＭＩＭＯシステム２００における送信機システム２１０（アクセスネットワークとしても知られている）および受信機システム２５０（アクセス端末（ＡＴ）またはユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、およびインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロットおよび符号化データは、データストリームに対して選択された特定の変調方式（例えば、ＢＰＳＫ、ＱＰＳＫ、Ｍ−ＰＳＫ、またはＭ−ＱＡＭ）に基づいて変調（すなわち、シンボルマッピング）されて、変調シンボルを提供する。各データストリームについてのデータレート、符号化、および変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボルおよびシンボルが送信されているアンテナに適用する。
【００１７】
各送信機２２２は、各シンボルストリームを受信および処理して１つ以上のアナログ信号を提供し、さらに、アナログ信号を調節（例えば、増幅、フィルタリング、およびアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、およびダウンコンバート）して、調節された信号をディジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信および処理して、ＮＴ個の「検出」シンボルストリームを提供する。そして、ＲＸデータプロセッサ２６０は、各検出シンボルストリームを復調、デインターリーブ、および復号して、データストリームについてのトラフィックデータを復元する。ＲＸデータプロセッサ２６０による処理は、送信機システム２１０でのＴＸ  ＭＩＭＯプロセッサ２２０およびＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部およびランク値部を含む逆方向リンクメッセージを構築する。
【００２１】
逆方向リンクメッセージは、通信リンクおよび／または受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６および１２２または図１の基地局（若しくはＡＮ）１００を実現するのに利用可能であり、無線通信システムは、好ましくはＮＲシステムである。通信デバイスは、入力デバイス３０２、出力デバイス３０４、制御回路３０６、中央演算処理装置（ＣＰＵ）３０８、メモリ３１０、プログラムコード３１２、およびトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像および音声を出力することができる。トランシーバ３１４は、無線信号を受信および送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、およびレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
３ＧＰＰ  ＴＳ  ３８．２１４は、ＰＤＳＣＨに関連したいくつかの説明を以下のように提供している：
［外１］
2020022159.tif 000003
2020022159.tif 000004
2020022159.tif 000005
[“Valid  S  and  L  combinations”と題する、３ＧＰＰ  ＴＳ  ３８．２１４  Ｖ１５．２．０の表５．１．２．１−１は、図５として複製される。]
［外２］
2020022159.tif 000006
[“Applied  redundancy  version  when  aggregationFactorDL  >  1”と題する、３ＧＰＰ  ＴＳ  ３８．２１４  Ｖ１５．２．０の表５．１．２．１−２は、図６として複製される。]
［外３］
2020022159.tif 000007
[“Applicable  PDSCH  time  domain  resource  allocation”と題する、３ＧＰＰ  ＴＳ  ３８．２１４  Ｖ１５．２．０の表５．１．２．１．１−１は、図７として複製される。]
[“Default  PDSCH  time  domain  resource  allocation  A  for  normal  CP”と題する、３ＧＰＰ  ＴＳ  ３８．２１４  Ｖ１５．２．０の表５．１．２．１．１−２は、図８として複製される。]
[“Default  PDSCH  time  domain  resource  allocation  A  for  extended  CP”と題する、３ＧＰＰ  ＴＳ  ３８．２１４  Ｖ１５．２．０の表５．１．２．１．１−３は、図９として複製される。]
[“Default  PDSCH  time  domain  resource  allocation  B”と題する、３ＧＰＰ  ＴＳ  ３８．２１４  Ｖ１５．２．０の表５．１．２．１．１−４は、図１０として複製される。]
[“Default  PDSCH  time  domain  resource  allocation  C”と題する、３ＧＰＰ  ＴＳ  ３８．２１４  Ｖ１５．２．０の表５．１．２．１．１−５は、図１１として複製される。]
［外４］
2020022159.tif 000008
[“Nominal  RBG  size  P”と題する、３ＧＰＰ  ＴＳ  ３８．２１４  Ｖ１５．２．０の表５．１．２．２．１−１は、図１２として複製される。]
［外５］
2020022159.tif 000009
2020022159.tif 000010
2020022159.tif 000011
2020022159.tif 000012
[“PDSCH  processing  time  for  PDSCH  processing  capability  1”と題する、３ＧＰＰ  ＴＳ  ３８．２１４  Ｖ１５．２．０の表５．３−１は、図１３として複製される。]
［“PDSCH  processing  time  for  PDSCH  processing  capability  2”と題する、３ＧＰＰ  ＴＳ  ３８．２１４  Ｖ１５．２．０の表５．３−２は、図１４として複製される。]
【００２６】
３ＧＰＰ  ＴＳ  ３８．２１２は、ＰＤＳＣＨに関連したいくつかの説明を以下のように提供している：
［外６］
2020022159.tif 000013
2020022159.tif 000014
2020022159.tif 000015
【００２７】
３ＧＰＰ  ＴＳ  ３８．３２１は、ＤＬＳＣＨ（下りリンク共有チャネル：Downlink  Shared  Channel）およびＢＷＰ（帯域幅部分：Bandwidth  Part）に関連した以下の説明を提供している：
［外７］
2020022159.tif 000016
2020022159.tif 000017
2020022159.tif 000018
2020022159.tif 000019
2020022159.tif 000020
【００２８】
３ＧＰＰ  ＴＳ  ３８．２１３は、ＰＤＣＣＨ（物理下りリンク制御チャネル：Physical  Downlink  Control  Channel）およびＢＷＰ（帯域幅部分：Bandwidth  Part）に関連した以下の説明を提供している：
［外８］
2020022159.tif 000021
2020022159.tif 000022
2020022159.tif 000023
2020022159.tif 000024
2020022159.tif 000025
2020022159.tif 000026
2020022159.tif 000027
2020022159.tif 000028
2020022159.tif 000029
2020022159.tif 000030
2020022159.tif 000031
2020022159.tif 000032
2020022159.tif 000033
2020022159.tif 000034
【００２９】
Ｒ１−１７１０８３８は、クロススロットスケジューリングのメカニズムに関連した以下の説明を提供している：
［外９］
2020022159.tif 000035
2020022159.tif 000036
2020022159.tif 000037
【００３０】
５Ｇ／ＮＲでは、スロット内またはスロットにまたがるＰＤＣＣＨの監視機会は、背景技術において述べたようにフレキシブルに設定され得る。ＰＤＳＣＨの時間領域リソースは、ＰＤＣＣＨで搬送されるその関連するＤＣＩ（下りリンク制御情報）の時間領域リソース割り当てフィールドに従って割り当てられ得る。時間領域リソース割り当てフィールドの各状態または値（例えば、“０００１”）は、スロットオフセット、開始シンボル、割り当て長さにマッピングされ得る。いったんＰＤＳＣＨをスケジューリングし、時間領域リソース割り当てフィールドにおいて値を示すＰＤＣＣＨをＵＥが受信したら、ＵＥは、その値にマッピングされたスロットオフセット、開始シンボル、割り当て長さに従って、どのスロットおよびどのシンボルでＰＤＳＣＨを受信するかを決定することができる。
【００３１】
例えば、ＵＥは、スロットの先頭（beginning）、例えば、スロットの最初の１〜３シンボルでＰＤＣＣＨを監視することができる。ＰＤＣＣＨでのＤＣＩの時間領域リソース割り当てフィールドが、ＰＤＳＣＨがスロットの先頭（例えば、スロットの最初の４つのシンボルのいずれか）から割り当てられることを示すことができる場合、ＵＥは、それがＰＤＣＣＨでの対応するＤＣＩの受信および復号を完了する前に、潜在的なＰＤＳＣＨのためにＤＬシンボルを受信またはバッファしなければならないことがある。潜在的なＰＤＳＣＨの最も早い割り当てられたシンボルが、ＰＤＣＣＨの監視機会内の最後のシンボルの後ろにある場合であっても、ＵＥがＤＣＩの復号を完了するのにはその間の間隙が不十分である限りは、ＵＥは、潜在的なＰＤＳＣＨのためにＤＬシンボルを受信またはバッファしなければならないことがあることに留意されたい。この構造を達成するため、ＵＥは、最初のＤＬ（もしくはフレキシブルシンボル）から、あるいはＰＤＳＣＨに割り当てられ得る最も早いシンボルから、完全にアクティブなＢＷＰの信号を捕捉しなければならない。なぜなら、最も大きい帯域幅が割り当てられ得ると仮定されるべきであるように、いずれにしてもＤＣＩが復号される前に周波数領域リソース割り当てをＵＥは知ることができないためである。ＤＣＩの受信および復号を完了した後、ＵＥはこのスロットにおいて任意のＰＤＳＣＨが受信されるものであるかどうかを知る。このスロットにおいてＰＤＳＣＨが送信されない場合、ＵＥはＤＬデータの受信を停止することができる。
【００３２】
電力消費の観点から、ＵＥは、スロット内の最初のあるいは最も早いＤＬまたはフレキシブルシンボルから、ＵＥがこのスロット内で送信されるＤＣＩの検出および復号を完了するまで、ＰＤＳＣＨの受信を可能とするのに本当に必要とされる電力よりも多くの電力を消費する。ＵＥが時間領域で対応するＤＣＩの復号を完了する前に、ＰＤＳＣＨが割り当てられないことがＵＥに保証される場合、ＵＥは、ＰＤＳＣＨの受信についての電力を節約することができる。例えば、ＵＥが、ＤＣＩの復号を完了する前に、潜在的なＰＤＳＣＨを受信する必要がない場合、ＵＥは、アクティブな帯域幅部分よりも（かなり）小さい帯域幅部分、例えば、ＵＥが監視したＣＯＲＥＳＥＴの帯域幅部分に類似するか、あるいはそれと同じ帯域幅部分において、ＰＤＣＣＨ監視中にＤＬ信号を受信することができる。
【００３３】
一般的な概念の１つは、ＵＥが（特定の）シンボルよりも早い最初のシンボルを有するＰＤＳＣＨを示すＤＣＩを受信するかどうかを、ｇＮＢがＵＥに知らせることができるということである。その（特定の）シンボルは、ＵＥがＤＣＩの受信および／または復号を完了するのに必要な時間に従って決定され得る。その（特定の）シンボルは、ＵＥがＰＤＳＣＨの受信を準備する、あるいはそのための準備が整うのに必要な時間に従って決定され得る。例えば、ＵＥは、ＵＥが監視するＣＯＲＥＳＥＴのより小さい帯域幅から、アクティブな帯域幅部分のより大きな帯域幅へ、その受信帯域幅を調整する必要があることがある。その特定のシンボルは、ＵＥがＤＣＩの受信および／または復号を完了するシンボルである、かつ／あるいはＵＥがＰＤＳＣＨの受信のための準備が整うシンボルとすることができる。
【００３４】
ｇＮＢはどのシンボルがその（特定の）シンボルであるかをＵＥに通知する。ｇＮＢおよびＵＥはどのシンボルが最初のシンボルであるかを取り決める。ＵＥのために設定されたＰＤＳＣＨのためのいくつかの時間領域リソース割り当ては、その（特定の）シンボルよりも早い最初または開始シンボルを伴う。ＵＥは、その情報が適用可能な場合、その（特定の）シンボルよりも早い最初または開始シンボルで時間領域リソース割り当てを示すＤＣＩを受信することは期待されない。ｇＮＢは、ＵＥへのＰＤＳＣＨを示すＤＣＩのリソース割り当てを知っている。ｇＮＢが、ＵＥのＤＣＩを検出および復号する能力を知っている場合、ｇＮＢはＵＥがＤＣＩの復号を完了する時間を推定し、対応するＤＣＩによって示されるＰＤＳＣＨの割り当てを見つけることができる。
【００３５】
持続時間Ｔ１（time  duration）が、ＵＥがＤＣＩを受信してからＤＣＩの復号を完了し、ＤＣＩによって示されるＰＤＳＣＨ割り当てを知るまでとすると、ＰＤＳＣＨの開始シンボルとＵＥが対応するＤＣＩを受信するシンボルの間の時間継続がＴ１より短くないことをＵＥが知っている場合、ＵＥがＰＤＳＣＨを示すＤＣＩを検出し、復号する前に、ＵＥは潜在的なＰＤＳＣＨを受信することができない。例えば、ＵＥがＰＤＳＣＨを示すＤＣＩを検出し、復号する前に、ＵＥはアクティブ帯域幅部分の帯域幅を受信する必要はない。ＵＥは、ＰＤＳＣＨを示すＤＣＩを検出し、復号する前に、アクティブ帯域幅部分の帯域幅よりも小さい（特定の）帯域幅を受信する。（特定の）帯域幅は、ＵＥが監視するＣＯＲＳＥＴの帯域幅である。ＵＥは、ＤＣＩによって示されるＰＤＳＣＨの最初のシンボルの前に、アクティブ帯域幅部分の帯域幅を受信する必要はない。ＵＥは、ＤＣＩによって示されるＰＤＳＣＨの最初のシンボルの前に、アクティブ帯域幅部分の帯域幅よりも小さい（特定の）帯域幅を受信する。（特定の）帯域幅は、ＵＥが監視するＣＯＲＳＥＴの帯域幅である。
【００３６】
ＵＥが（特定の）シンボルより早い最初のシンボルを有するＰＤＳＣＨを示すＤＣＩを受信するかどうかについての情報は、すべてのスロットに適用可能である。ＵＥが（特定の）シンボルより早い最初のシンボルを有するＰＤＳＣＨを示すＤＣＩを受信するかどうかについての情報は、スロットｎに適用可能である。スロットｎは、ＵＥがＤＣＩを受信しなかった別のスロット、例えば、ＵＥがＤＣＩを受信しなかったスロットｎ−１の次のスロットである。スロットｎは、ＵＥがＤＣＩを受信しなかった複数のスロット、例えば、ＵＥがＤＣＩを受信しなかったスロットｎ−ｘ〜ｎ−１の後のスロットである。スロットｎは、オンデュレーション（on  duration）の最初のスロットである。ＵＥは、ＵＥが対応するＤＣＩの復号を完了する前に、ＰＤＳＣＨの受信について電力を節約することができる。
【００３７】
一実施形態では、ｇＮＢは、この方法を有効／無効にするための信号をＵＥに送信する。この信号は、ＰＤＳＣＨの開始シンボルが、ＵＥが時間領域で対応するＤＣＩの復号を完了するよりも早いかどうかを通知することができる。この信号は、以前のＰＤＳＣＨで言及されてよい。
【００３８】
一実施形態では、その信号がこの方法を無効にする値に設定されることをＵＥが検出する場合、ＵＥは、ＤＣＩによって示される次のＰＤＳＣＨの最初のシンボルと対応するＤＣＩの間の持続時間がＴ１より短い可能性があることを知ることができる。代替的には、その信号がこの方法の有効にする値に設定されることをＵＥが検出する場合、ＵＥは、ＤＣＩによって示される次のＰＤＳＣＨの最初のシンボルと対応するＤＣＩの間の持続時間がＴ１より短くないことを知ることができる。
【００３９】
一実施形態では、その信号がＰＤＳＣＨを示す１つのＤＣＩに添付されない場合、ＵＥは、無効信号が受信されたと仮定することができる。代替的には、その信号がＰＤＳＣＨを示す１つのＤＣＩに添付されない場合、ＵＥは、有効信号が受信されたと仮定することができる。
【００４０】
一実施形態では、前のＰＤＳＣＨが受信されない場合、ｇＮＢは、ＰＤＳＣＨの最初のシンボルと対応するＤＣＩの間の持続時間がＴ１より短くなるようなＰＤＳＣＨを割り当てることが許可されない。その信号は、次のＰＤＳＣＨ送信のみを指示してよい。その信号はまた、その後の多数のＰＤＳＣＨ送信を指示してよい。追加的に、その信号は、１つまたは複数のその後のスロットにおけるＰＤＳＣＨ送信を指示してよい。さらに、この信号は、ＵＥが別の有効または無効信号を検出するまで、すべてのＰＤＳＣＨ送信を指示してよい。
【００４１】
ＵＥが、ＰＤＳＣＨ送信の開始シンボルと対応するＤＣＩの間の持続時間の割り当てがＴ１より短くない設定で設定され、かつ、時間領域関係を満足しない、ＰＤＳＣＨを示すＤＣＩを受信する場合、ＵＥはＰＤＳＣＨを受信しなくてもよく、対応するＨＡＲＱにおいて、ＮＡＣＫを送信してよい。
【００４２】
図１５は、ＵＥが電力を節約するのを助けるために、この信号が時間領域でどのように作用するかの例を示す。次のＰＤＳＣＨ送信の最初のシンボルが時間領域関係に従うかどうかを表すために、信号がＰＤＳＣＨに添付される。図１５において、ＵＥは最初のＰＤＳＣＨにおいて有効の値を有する信号を検出し、ＵＥは、ＵＥが対応するＤＣＩを受信してからＴ１後に次のＰＤＳＣＨを受信されるものであることを知る。次いで、ｇＮＢは次のスロットにおいてＰＤＳＣＨを示すＤＣＩを送信する。ＰＤＳＣＨとＰＤＳＣＨを示すＤＣＩは時間領域関係に従うため、ＵＥがこのＰＤＳＣＨを示すＤＣＩを検出した後、ｇＮＢはＴ１で次のＰＤＳＣＨを割り当てる。ＵＥは、最初のＰＤＳＣＨの終わりから、ＰＤＳＣＨを示すＤＣＩの復号をＵＥが完了するまで、ＰＤＳＣＨを受信しない。ＵＥは、これらの２つのＰＤＳＣＨの間で、潜在的なＰＤＳＣＨを受信することについての電力を節約することができる。２番目のＰＤＳＣＨには、無効の値に設定された信号が添付されている。これは、次のＰＤＳＣＨ割り当てがＴ１の時間領域関係に従わなくてもよいことを意味する。従って、ＵＥは、次のスロットの最初のＤＬまたはフレキシブルシンボルからＰＤＳＣＨを受信しなければならない。
【００４３】
一実施形態では、ＳＰＳ  ＰＤＳＣＨ送信が設定される場合、ｇＮＢは、ＳＰＳ  ＰＤＳＣＨにおいてこの信号を示すことができる。別の概念は、ＵＥが時間領域で対応するＤＣＩの検出および受信を完了する時間よりも早いＰＤＳＣＨの割り当てを有効または無効にするためのＲＲＣパラメータでＵＥが設定され得るということである。パラメータが無効の値に設定される場合、ｇＮＢは、ＵＥが対応するＤＣＩの復号を完了する時間よりも早いＰＤＳＣＨの開始シンボルを有するＰＤＳＣＨをＵＥに割り当てることが許可されなくてよい。ＵＥは、対応するＤＣＩを復号する前に、ＰＤＳＣＨを受信することについて電力を節約することができる。パラメータが有効に設定される場合、ｇＮＢは、ＵＥが時間領域で対応するＤＣＩの復号を完了する時間より遅いＰＤＳＣＨ割り当てを制限しない。ＵＥは依然として、スロットの最初のＤＬまたはフレキシブルシンボルからＰＤＳＣＨを受信しなければならない。一実施形態では、ＰＤＳＣＨと対応するＤＣＩの間の時間領域関係の設計は、ＵＥごとに、セルごとに、あるいはＢＷＰごとに、有効または無効にすることができる。
【００４４】
一実施形態では、ｇＮＢは、ＵＥに下りリンクデータを送信するために使用される周波数領域リソース割り当てを、ｇＮＢが使用できる最大帯域幅よりも小さい範囲に制限する。ＵＥが、ＰＤＳＣＨを受信する可能性がある周波数範囲が制限されることを知っている場合、ＵＥは、対応するＤＣＩにおけるＰＤＳＣＨの周波数領域リソース割り当てを復号する前は、最大帯域幅で送信されるすべての信号を受信する必要はない。ＵＥは、ＤＣＩが示したＰＤＳＣＨの時間および周波数領域で復号する前は、ＰＤＳＣＨを受信する可能性のあるｇＮＢによって示される周波数範囲においてのみ信号を受信することができる。
【００４５】
別の一般的な概念は、ＰＤＳＣＨをＵＥに送信するために使用される周波数領域リソース割り当てが、ＰＤＳＣＨの最初のシンボルに依存するＵＥのアクティブ帯域幅部分の一部に制限されているかどうかを、ｇＮＢがＵＥに通知することである。アクティブ帯域幅部分の一部は、ＵＥが監視するＣＯＲＥＳＥＴの帯域幅とすることができる。また、アクティブ帯域幅部分の一部はまた、ＵＥが監視するＣＯＲＥＳＥＴの周波数リソースまたは物理リソースブロックとすることができる。
【００４６】
例えば、ＰＤＳＣＨの最初のシンボルが（特定の）シンボルよりも早い場合、周波数領域リソース割り当ては、アクティブ帯域幅部分の一部に制限され得る。代替的には、ＰＤＳＣＨの最初のシンボルが（特定の）シンボルよりも遅い場合、周波数領域リソース割り当ては、アクティブ帯域幅部分の一部に限定されなくてもよく、例えば、周波数リソース割り当ては、アクティブ帯域幅部分の全体または全部に対してなされ得る。（特定の）シンボルは、ＵＥがＤＣＩの受信および／または復号を完了するのに必要な時間に従って決定され得る。（特定の）シンボルはまた、ＵＥがＰＤＳＣＨの受信を準備する／ＰＤＳＣＨのための準備が整うのに必要な時間に従って決定され得る。
【００４７】
例えば、ＵＥは、より小さい１つの帯域幅（例えば、ＵＥが監視するＣＯＲＥＳＥＴの帯域幅）からより大きな１つの帯域幅（例えば、アクティブ帯域幅部分の帯域幅）へその受信帯域幅を調整する必要があることがある。特定のシンボルは、ＵＥがＤＣＩの受信および復号を完了するシンボル、および／またはＵＥがＰＤＳＣＨの受信の準備が整うシンボルとすることができる。ｇＮＢはどのシンボルがその（特定の）シンボルであるかをＵＥに通知する。ｇＮＢおよびＵＥはどのシンボルが最初のシンボルであるかを取り決める。ＵＥのために設定されるＰＤＳＣＨのための時間領域リソース割り当てのいくつか（一部）は、その（特定の）シンボルよりも早い最初の／開始シンボルを伴うことができる。ＵＥは、（特定の）シンボルより早い最初または開始シンボルを有する時間領域リソース割り当てを示し、情報が適用される場合、ＵＥのアクティブ帯域幅部分の一部の外側の周波数領域リソース割り当てを示すＤＣＩを受信することは期待されない。
【００４８】
ＵＥが早くにＰＤＳＣＨを受信する可能性がある周波数範囲が制限されていることを知っている場合、ＵＥが対応するＤＣＩを復号する前に、ＵＥは、アクティブ帯域幅部分で送信されるすべての信号を受信する必要はない。ＵＥがＤＣＩを復号する前に、ＵＥはＰＤＳＣＨを受信する可能性があるアクティブ帯域幅部分の一部においてのみ信号を受信することができる。ＵＥがアクティブ帯域幅部分の外側の周波数領域リソース割り当てを伴うＰＤＳＣＨを示すＤＣＩを受信する場合、最初または開始シンボルは、ＵＥがＰＤＳＣＨのための受信を準備する、例えば、その受信帯域幅を調整することができる（特定の）シンボルよりも遅い。
【００４９】
例えば、ＵＥがＰＤＳＣＨを示すＤＣＩを検出し、復号する前に、ＵＥはアクティブ帯域幅部分の帯域幅を受信する必要はない。ＵＥは、ＰＤＳＣＨを示すＤＣＩを検出し、復号する前に、アクティブ帯域幅部分の帯域幅よりも小さい（特定の）帯域幅を受信することができる。（特定の）帯域幅は、ＵＥが監視するＣＯＲＳＥＴの帯域幅とすることができる。ＵＥは、ＤＣＩによって示されるＰＤＳＣＨの最初のシンボルの前に、アクティブ帯域幅部分の帯域幅を受信する必要はない。
【００５０】
さらに、ＵＥは、ＤＣＩによって示されるＰＤＳＣＨの最初のシンボルの前に、アクティブ帯域幅部分の帯域幅よりも小さい（特定の）帯域幅を受信することができる。その（特定の）帯域幅は、ＵＥが監視するＣＯＲＳＥＴの帯域幅とすることができる。ＵＥが（特定の）シンボルよりも早い最初のシンボルを有するＰＤＳＣＨを示すＤＣＩを受信するかどうかの情報は、すべてのスロットに適用可能である。代替的には、ＵＥが（特定の）シンボルよりも早い最初のシンボルを有するＰＤＳＣＨを示すＤＣＩを受信するかどうかの情報は、スロットｎに適用可能としてよい。スロットｎはまた、ＵＥがＤＣＩを受信しなかった別のスロット（例えば、ＵＥがＤＣＩを受信しなかったスロットｎ−１）の次のスロットとすることができる。スロットｎは、ＵＥがＤＣＩを受信しなかった複数のスロット（例えば、ＵＥがＤＣＩを受信しなかったスロットｎ−ｘ〜ｎ−１）の後のスロットとすることができる。スロットｎは、オンデュレーションの最初のスロットとすることができる。
【００５１】
一実施形態では、ｇＮＢはＵＥに、周波数領域でのこの制限の方法を有効または無効にするための信号を送信する。この信号は、ＰＤＳＣＨの周波数領域割り当てが、ｇＮＢが使用できる最大帯域幅よりも小さい周波数範囲に制限されるかどうかを通知することができる。この信号はまた、制限された周波数範囲の割り当てを示すことができる。この信号は、前のＰＤＳＣＨで言及されてよい。
【００５２】
一実施形態では、その信号がこの方法を無効にする値に設定されていることをＵＥが検出する場合、ＵＥは、次のＰＤＳＣＨが、ｇＮＢが使用してよい最大可能帯域幅よりも小さい制限帯域幅で送信されることを知る。制限帯域幅の範囲は、ｇＮＢによって決定されてよい。ＵＥは、ｇＮＢの制限帯域幅の範囲を得てよい。一実施形態では、制限帯域幅の範囲は、ＵＥが監視しなければならないＣＯＲＳＥＴに基づいて、有効信号を有する前のＰＤＳＣＨのリソース割り当てに基づいて、あるいは現在のアクティブＤＬ  ＢＷＰの周波数割り当てに基づいて設定されてよい。
【００５３】
一実施形態では、その信号がこの方法の有効にする値に設定されていることをＵＥが検出する場合、ＵＥは、ＤＣＩによって示される次のＰＤＳＣＨが制限帯域幅内に割り当てられることを知る。周波数領域制限は、Ｔ１の時間領域制限を満たさないＰＤＳＣＨ送信のみを制限してよい。一実施形態では、信号がＰＤＳＣＨを示す一つのＤＣＩに添付されない場合、ＵＥは、ＤＣＩによって示される次のＰＤＳＣＨの開始シンボルが、制限帯域幅内のみでは割り当てられない可能性があると見なしてよい。代替的には、この信号がＰＤＳＣＨを示す一つのＤＣＩに添付されない場合、ＵＥは、ＤＣＩによって示される次のＰＤＳＣＨの開始シンボルが、制限帯域幅内のみ割り当てられなくてよいと見なしてよい。
【００５４】
一実施形態では、前のＰＤＳＣＨが受信されない場合、ｇＮＢは、制限帯域幅内でＰＤＳＣＨを示したＤＣＩを割り当てることのみが許される。その信号は、次のＰＤＳＣＨ送信のみを示してよい。さらに、その信号は、その後の多数のＰＤＳＣＨ送信を示してよい。その信号はまた、１つまたは複数のその後のスロットにおけるＰＤＳＣＨ送信を示してよい。追加的に、ＵＥが別の有効または無効信号を検出するまで、その信号はすべてのＰＤＳＣＨ送信を示してよい。
【００５５】
図１６は、この方法が、潜在的なＰＤＳＣＨを監視するのについて、ＵＥが電力を節約するのをどのように助けるかの一例を示す。図１６の第１のＰＤＳＣＨは、この方法を有効にすることを示す信号に添付される。ＵＥは、ＤＣＩによって示される次のＰＤＳＣＨが、ＵＥが監視するＣＯＲＥＳＥＴの範囲内の周波数帯でのみ送信されることを知っている。ＵＥは、ＣＯＲＥＳＥＴ内の周波数でのみ潜在的なＰＤＳＣＨを受信し、アクティブＢＷＰの全体または全部を監視するわけではない。図１６の第２のＰＤＳＣＨは、無効を示す信号が添付される。ＵＥは、第３のＰＤＳＣＨが、ＵＥが監視するものとするＣＯＲＥＳＥＴの周波数範囲内のみだけではない範囲に割り当てられる可能性があることを知る。ＵＥは、完全なアクティブＢＷＰを監視することによって、潜在的なＰＤＳＣＨを受信しなければならない。
【００５６】
一実施形態では、ＵＥが、ＰＤＳＣＨ送信の割り当てが制限帯域幅内のみとなる設定で設定され、ＵＥが、周波数制限を満たさないＰＤＳＣＨを示すＤＣＩを受信する場合、ＵＥは、このＰＤＳＣＨを受信できず、対応するＨＡＲＱにおいてＮＡＣＫを送信する。
【００５７】
一実施形態では、ＰＤＳＣＨ割り当ての周波数領域制限の設計は、ＵＥごとに有効または無効にされ得る。ＰＤＳＣＨ割り当ての周波数領域制限の設計は、セルごとあるいはＢＷＰごとに有効または無効にされ得る。
【００５８】
ＲＲＣ（無線リソース制御：Radio  Resource  Control）パラメータは、ＰＤＳＣＨにおける信号添付を有効または無効にするように設定されてよい。一実施形態では、ＲＲＣパラメータは、ＵＥ固有、セル固有、またはＢＷＰ固有に設定され得る。ＲＲＣパラメータがこの方法を有効にする値に設定される場合、ｇＮＢは、その後のＰＤＳＣＨ送信の最初のシンボルがＵＥが対応するＤＣＩの復号を完了するよりも早い可能性があるかどうかを示す信号をＰＤＳＣＨ送信に添付することができる。代替的には、ＲＲＣパラメータがこの方法を無効にする値に設定される場合、ｇＮＢは信号をＰＤＳＣＨ送信に添付しなくてもよい。
【００５９】
一実施形態では、ＲＲＣパラメータがこの方法を無効にする値に設定される場合、ｇＮＢは、ＵＥが時間領域において対応するＤＣＩの復号を完了する時間よりも早いＰＤＳＣＨの最初のシンボルを有するＰＤＳＣＨを示すＤＣＩを送信してよい。
【００６０】
一実施形態では、ＵＥおよびｇＮＢの両方によって知られているルールが、ＰＤＳＣＨの時間領域および／または周波数領域リソース割り当ての制限（例えば、上述の方法に従った制限）を有効または無効するために使用されてよい。ＲＲＣパラメータは、ルールに従って制限を有効または無効するように設定されてよい。ＲＲＣパラメータは、ＵＥ固有、セル固有、またはＢＷＰ固有に設定されることができる。制限が設定される場合、ＵＥおよびｇＮＢはデフォルトで制限を有効にすることができる。
【００６１】
一実施形態では、ＰＤＳＣＨ制限を有効または無効にするルールは、ＰＤＳＣＨ送信に基づいてよい。その制限を有効に設定され、ＰＤＳＣＨが帯域幅部分および／またはセルにおいてＮ１個の連続スロットで受信される場合、ＵＥおよびｇＮＢはその制限を（自律的に）無効に切り替えることができる。代替的には、その制限が無効に設定され、ＰＤＳＣＨが帯域幅部分および／またはセルにおいてＮ２個の連続スロットで受信されない場合、ＵＥおよびｇＮＢはその制限を（自律的に）有効に切り替えることができる。
【００６２】
一実施形態では、その制限が有効に設定され、ＰＤＳＣＨが、帯域幅部分および／またはセルにおいて最新のＮ１´個の連続スロット内の少なくともＮ３個のスロットで受信される場合、ＵＥおよびｇＮＢはその制限を（自律的に）無効にするように切り替えることができる。その制限が無効に設定され、ＰＤＳＣＨが帯域幅部分および／またはセルにおいて最新のＮ２´個の連続スロットのうちのＮ４個のスロットで受信されない場合、ＵＥおよびｇＮＢはその制限を（自律的に）有効に切り替えることができる。その制限が有効に設定され、サイズがＮ５個のリソース要素より大きいＰＤＳＣＨが帯域幅部分および／またはセルにおいて受信される場合、ＵＥおよびｇＮＢは制限を（自律的に）無効に切り替えることができる。制限が無効に設定され、サイズがＮ６個のリソース要素よりも大きいＰＤＳＣＨがセルにおいて受信されない場合、ＵＥおよびｇＮＢは制限を（自律的に）有効に切り替えることができる。
【００６３】
一実施形態では、ｇＮＢは、最大可能範囲よりも小さい範囲にＰＤＳＣＨの割り当てを制限する。ｇＮＢはＰＤＳＣＨの時間領域割り当てを制限する。ｇＮＢは、ＰＤＳＣＨの最初のシンボルと対応するＤＣＩの最初のシンボルの間の持続時間がＴ１より短くないことを制限する。持続時間Ｔ１は、ＵＥがＤＣＩを受信してから、ＵＥがこのＤＣＩの復号化を完了し、このＤＣＩによって示されるＰＤＳＣＨの割り当てを知るまでである。その制限は、ＵＥごと、セルごと、またはＢＷＰごとに有効または無効にされ得る。
【００６４】
この制限は、ＰＤＳＣＨにおける信号を通じて有効または無効にされる。制限が有効に設定される場合、ＵＥは、あるＰＤＳＣＨの最後のシンボルとその次のＰＤＳＣＨの開始シンボルの間はＰＤＳＣＨを受信しない。この方法が無効に設定される場合、ＰＤＳＣＨの最初のシンボルとこのＰＤＳＣＨを示すＤＣＩの最初のシンボルの間の持続時間がＴ１より短いＰＤＳＣＨを示すＤＣＩをＵＥが受信することが可能である。その信号が有効として検出される場合、その後のＰＤＳＣＨの最初のシンボルとそのＰＤＳＣＨを示すＤＣＩの最初のシンボルの間の持続時間は、Ｔ１より短くない。その信号が無効として検出される場合、その後のＰＤＳＣＨの最初のシンボルとそのＰＤＳＣＨを示すＤＣＩの最初のシンボルの間の持続時間は、Ｔ１より短くてよい。ＳＰＳ  ＰＤＳＣＨ送信が設定される場合、この時間領域制限の信号は、ＳＰＳ  ＰＤＳＣＨ送信に添付される。
【００６５】
この信号は、次のＰＤＳＣＨ送信に対する制限を示す。その信号は、その後の多数のスロットにおけるＰＤＳＣＨ送信に対する制限を示す。その信号が検出されない場合、ＵＥは、無効信号が検出されると仮定する。その信号が検出されない場合、ＵＥは、有効信号が検出されると仮定する。以前にＵＥにＰＤＳＣＨが設定されていない場合、ｇＮＢは、ＰＤＳＣＨの最初のシンボルとこのＰＤＳＣＨを示すＤＣＩの最初のシンボルの間の持続時間であって、Ｔ１よりも短い持続時間でＰＤＳＣＨを割り当てない。その制限が有効に設定され、ＵＥが時間領域関係に違反するＰＤＳＣＨ送信を示すＤＣＩを受信する場合、ＵＥはこのＰＤＳＣＨを受信せず、ＵＥは対応するＨＡＲＱフィードバックでＮＡＣＫを送信する。
【００６６】
ＲＲＣパラメータは、その制限を有効または無効にするためにＵＥに設定される。ＲＲＣパラメータが有効の値に設定される場合、ｇＮＢはＰＤＳＣＨにおいてこの方法を有効または無効にすることを示す信号を添付する。ＲＲＣパラメータが有効の値に設定される場合、ｇＮＢはＵＥが対応するＤＣＩの復号を完了するよりも早い最初のシンボルでＰＤＳＣＨを割り当てない。ＲＲＣパラメータが無効の値に設定される場合、ｇＮＢはＵＥが対応するＤＣＩの復号を完了するよりも早い最初のシンボルでＰＤＳＣＨを割り当てることが可能である。ＲＲＣパラメータが無効の値に設定される場合、ｇＮＢはＰＤＳＣＨにおいてこの方法を有効／無効にすることを示す信号を添付しない。ＲＲＣパラメータは、ＵＥごと、セルごと、またはＢＷＰごとに設定され得る。
【００６７】
ＵＥおよびｇＮＢの両方で知られているルールは、ＰＤＳＣＨ割り当ての時間または周波数領域制限を動的に有効または無効にするように使用される。ＲＲＣパラメータは、動的にその制限を許可するように設定される。ＲＲＣパラメータが動的にその制限を許可するように設定される場合、その制限はデフォルトで有効に設定される。その制限が有効にされ、ＰＤＳＣＨがセルにおいてＮ１個の連続スロットで受信される場合、ＵＥおよびｇＮＢは動的にその制限を無効に切り替える。その制限が無効にされ、セルにおいてＮ２個の連続スロットでＰＤＳＣＨが受信されない場合、ＵＥおよびｇＮＢはその制限を動的に有効にするように切り替える。その制限が有効にされ、ＰＤＳＣＨがセル内の最新のＮ１´個の連続スロットのうちの少なくともＮ３個のスロットで受信される場合、ＵＥおよびｇＮＢは、動的にその制限を無効にするように切り替える。その制限が無効にされ、セルにおいて最新のＮ２´個の連続スロットのうちのＮ４個のスロットでＰＤＳＣＨが受信されない場合、ＵＥおよびｇＮＢは動的にその制限を有効にするように切り替える。その制限が有効にされ、サイズがＮ５個のリソース要素より大きいＰＤＳＣＨがセルにおいて受信される場合、ＵＥおよびｇＮＢは動的にその制限を無効にするように切り替える。その制限が無効にされ、サイズがＮ６個のリソース要素より大きいＰＤＳＣＨがセルにおいて受信されない場合、ＵＥおよびｇＮＢは動的にその制限を有効にするように切り替える。値Ｎ１、Ｎ２、Ｎ３、Ｎ４、Ｎ５、Ｎ６、Ｎ１´、Ｎ２´は、ＵＥ固有、セル固有、またはＢＷＰ固有に設定されることができる。
【００６８】
図１７は、基地局の観点からの例示的な一実施形態によるフローチャート１７００である。ステップ１７０５では、基地局は、ＰＤＳＣＨのための時間領域リソース割り当てテーブルでＵＥを設定する。ステップ１７１０では、基地局は、第１の持続時間の指示を送信し、時間領域リソース割り当てテーブル内の少なくとも１つのエントリは、第２の持続時間に関連付けられ、第１の持続時間は、ＰＤＳＣＨの時間領域割り当てを制限する。
【００６９】
一実施形態では、基地局は、ＵＥから第１の持続時間の所望値を受信することができる。第１の持続時間は、ＤＣＩによって示される時間領域リソース割り当ての最も早い開始シンボルをＵＥに通知する。第１の持続時間は、ＵＥがＤＣＩ受信および／またはＤＣＩ復号を完了するのに必要な時間に従って、あるいはＵＥがＰＤＳＣＨ受信を準備するのに必要な時間に従って決定され得る。第１の持続時間は、ＵＥがその受信帯域幅を調整するのに必要な時間に従って決定され得る。第１の持続時間は、帯域幅部分のためのものである。基地局は、少なくとも１つのエントリでＵＥをスケジュールすることを禁止する。一実施形態では、第２の持続時間は、第１の持続時間より短い。
【００７０】
図３および図４に戻って参照すると、基地局の例示的な一実施形態において、デバイス３００は、メモリ３１０に記憶されたプログラムコード３１２を含む。ＣＰＵ３０８は、プログラムコード３１２を実行して、基地局が、（ｉ）ＰＤＳＣＨのための時間領域リソース割り当てテーブルでＵＥを設定することと、（ｉｉ）第１の持続時間の指示を送信し、時間領域リソース割り当てテーブル内の少なくとも１つのエントリは、第２の持続時間に関連付けられ、第１の持続時間は、ＰＤＳＣＨの時間領域割り当てを制限する、送信することと、を可能にすることができる。さらに、ＣＰＵ３０８は、プログラムコード３１２を実行して、本明細書に記載の上述のアクションおよびステップまたはその他のすべてを実行することができる。
【００７１】
図１８は、ＵＥの観点からの例示的な一実施形態による、フローチャート１８００である。ステップ１８０５では、ＵＥは、ＰＤＳＣＨのための時間領域リソース割り当てテーブルの設定を受信する。ステップ１８１０では、ＵＥは、第１の持続時間の指示を受信し、時間領域リソース割り当てテーブル内の少なくとも１つのエントリは、第２の持続時間に関連付けられ、第１の持続時間は、ＰＤＳＣＨの時間領域割り当てを制限する。
【００７２】
一実施形態では、ＵＥは、第１の持続時間の所望値を基地局に報告することができる。第１の持続時間は、ＰＤＳＣＨの時間領域割り当てを制限することができる。第１の持続時間は、ＤＣＩによって示される時間領域リソース割り当ての最も早い開始シンボルをＵＥに通知する。第１の持続時間は、ＵＥがＤＣＩ受信および／またはＤＣＩ復号を完了するのに必要な時間に従って、あるいはＵＥがＰＤＳＣＨ受信を準備するのに必要な時間に従って決定され得る。第１の持続時間は、ＵＥがその受信帯域幅を調整するのに必要な時間に従って決定され得る。第１の持続時間は、帯域幅部分に対するものである。ＵＥは、第１の持続時間に基づいて、潜在的なＰＤＳＣＨを受信するか、あるいはバッファするかを決定することができる。ＰＤＳＣＨ送信の開始シンボルと対応するＤＣＩの間の第３の持続時間は、第１の持続時間よりも短くない。一実施形態では、第２の持続時間は、第１の持続時間より短い。
【００７３】
一実施形態では、ＵＥは、ＵＥがＤＣＩ受信および／またはＤＣＩ復号を完了するのに必要な時間よりも第１の持続時間が短い場合、潜在的なＰＤＳＣＨを受信する、あるいはバッファすることができる。ＵＥがＤＣＩ受信および／またはＤＣＩ復号を完了するのに必要な時間よりも第１の持続時間が短くない場合、ＵＥは、潜在的なＰＤＳＣＨを受信しない、あるいはバッファしない。
【００７４】
図３および図４に戻って参照すると、ＵＥの１つの例示的実施形態において、デバイス３００は、メモリ３１０に記憶されたプログラムコード３１２を含む。ＣＰＵ３０８は、プログラムコード３１２を実行して、ＵＥが、（ｉ）ＰＤＳＣＨのための時間領域リソース割り当てテーブルの設定を受信することと、（ｉｉ）第１の持続時間の指示を受信することであって、時間領域リソース割り当てテーブル内の少なくとも１つのエントリは、第２の持続時間に関連付けられ、第１の持続時間は、ＰＤＳＣＨの時間領域割り当てを制限する、受信することと、を可能にすることができる。さらに、ＣＰＵ３０８は、プログラムコード３１２を実行して、本明細書に記載の上述のアクションおよびステップまたはその他のすべてを実行することができる。
【００７５】
図１９は、基地局の観点から見た例示的な一実施形態によるフローチャート１９００である。ステップ１９０５では、基地局は、ＰＤＳＣＨのための時間領域リソース割り当てテーブルでＵＥを設定する。ステップ１９１０では、基地局は、シンボルを指示し、時間領域リソース割り当てテーブル内の少なくとも１つのエントリは、そのシンボルよりも早い開始シンボルに関連付けられ、そのシンボルは、ＰＤＳＣＨの時間領域割り当てを制限する。
【００７６】
一実施形態では、基地局は、ＵＥからシンボルに関する提案を受信することができる。そのシンボルは、ＰＤＳＣＨの時間領域割り当てを制限することができる。そのシンボルは、ＵＥがＤＣＩ受信および／またはＤＣＩ復号を完了するのに必要な時間に従って、あるいはＵＥがＰＤＳＣＨ受信を準備するのに必要な時間に従って決定され得る。そのシンボルは、帯域幅部分に対するものとすることができる。基地局は、少なくとも１つのエントリでＵＥをスケジュールすることを禁止する。
【００７７】
図３および図４に戻って参照すると、基地局の例示的の一実施形態において、デバイス３００は、メモリ３１０に記憶されたプログラムコード３１２を含む。ＣＰＵ３０８は、プログラムコード３１２を実行して、基地局が、（ｉ）ＰＤＳＣＨのための時間領域リソース割り当てテーブルでＵＥを設定することと、（ｉｉ）シンボルを指示し、時間領域リソース割り当てテーブル内の少なくとも１つのエントリは、そのシンボルよりも早い開始シンボルと関連付けられ、そのシンボルは、ＰＤＳＣＨの時間領域割り当てを制限する、指示することと、を可能にすることができる。さらに、ＣＰＵ３０８は、プログラムコード３１２を実行して、本明細書に記載の上述のアクションおよびステップまたはその他のすべてを実行することができる。
【００７８】
以上、本開示の種々の態様を説明した。当然のことながら、本明細書の教示内容を多種多様な形態で具現化することができ、本明細書に開示されている如何なる特定の構造、機能、または両者も代表的なものに過ぎない。本明細書の教示内容に基づいて、当業者には当然のことながら、本明細書に開示される態様は、他の如何なる態様からも独立に実装されることができ、これら態様のうちの２つ以上を種々組み合わせることができる。例えば、本明細書に記載された態様のうちの任意の数の態様を用いて、装置を実装することができ、方法を実現することができる。追加的に、本明細書に記載された態様のうちの１つ以上の追加または代替で、他の構造、機能、または構造と機能を用いて、このような装置を実装することができ、このような方法を実現することができる。上記概念の一部の一例として、いくつかの態様においては、パルス繰り返し周波数に基づいて、同時チャネルを確立することができる。いくつかの態様においては、パルス位置またはオフセットに基づいて、同時チャネルを確立することができる。いくつかの態様においては、時間ホッピングシーケンスに基づいて、同時チャネルを確立することができる。いくつかの態様においては、パルス繰り返し周波数、パルス位置またはオフセットおよび時間ホッピングシーケンスに基づいて、同時チャネルを確立することができる。
【００７９】
当業者であれば、多様な異なるテクノロジおよび技術のいずれかを使用して、情報および信号を表わしてよいを理解するであろう。例えば、上記説明全体で言及されることがあるデータ、命令、コマンド、情報、信号、ビット、シンボル、およびチップは、電圧、電流、電磁波、磁場若しくは粒子、光場若しくは粒子、またはこれらの任意の組み合わせによって表わしてよい。
【００８０】
さらに、当業者には当然のことながら、本明細書に開示された態様に関連して説明した種々の例示的な論理ブロック、モジュール、プロセッサ、手段、回路、およびアルゴリズムステップは、電子的ハードウェア（例えば、ソースコーディングまたはその他何らかの技術を用いて設計することがあるディジタル実装、アナログ実装、またはこれら２つの組み合わせ）、命令を含む種々の形態のプログラム若しくは設計コード（本明細書においては便宜上、「ソフトウェア」または「ソフトウェアモジュール」と称されることがある）、または両者の組み合わせとして実装されてよい。このハードウェアおよびソフトウェアの互換性を明確に示すため、種々の例示的な構成要素、ブロック、モジュール、回路、およびステップを、概略的にそれぞれの機能の側面から上述した。そのような機能がハードウェアとして実装されるか、ソフトウェアとして実装されるかは、特定用途およびシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００８１】
追加的に、本明細書に開示される態様に関連して説明した種々の例示的な論理ブロック、モジュール、および回路は、集積回路（「ＩＣ」）、アクセス端末、またはアクセスポイント内で実装される、あるいはこれらによって実行されてよい。ＩＣとしては、汎用プロセッサ、ディジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、または本明細書で説明した機能を実行するように設計されたこれらの任意の組み合わせを含み、ＩＣ内、ＩＣ外、またはその両方に存在するコードまたは命令を実行してよい。汎用プロセッサは、マイクロプロセッサとしてよいが、代替として、プロセッサは、従来の任意のプロセッサ、コントローラ、マイクロコントローラ、または状態機械としてよい。また、プロセッサは、ＤＳＰとマイクロプロセッサとの組み合わせ、複数のマイクロプロセッサ、ＤＳＰコアと協働する１つ以上のマイクロプロセッサ、またはその他任意のこのような構成である、コンピュータデバイスの組み合わせとして実装されてよい。
【００８２】
任意の開示プロセスにおけるステップの如何なる特定の順序または階層は、実例的な手法の一例であることが了解される。設計の選好に基づいて、プロセスにおけるステップの特定の順序または階層を、本開示の範囲内に留まりつつ、再構成してよいことが了解される。添付の方法の請求項は、種々のステップの要素を実例的な順序で示しており、提示の特定順序または階層に限定されることを意図していない。
【００８３】
本明細書に開示される態様に関連して記載された方法またはアルゴリズムのステップを、ハードウェアにおいて直接具現化してよく、プロセッサにより実行されるソフトウェアモジュールにおいて具現化してよく、これら２つの組み合わせにおいて具現化してよい。（例えば、実行可能な命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、または当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出しおよび記憶媒体への情報の書き込みが可能である。実例的な記憶媒体は、プロセッサと一体化されてよい。プロセッサおよび記憶媒体は、ＡＳＩＣに存在してよい。ＡＳＩＣは、ユーザ機器に存在していてもよい。代替として、プロセッサおよび記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【００８４】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、または適応を網羅することを意図している。
【図１】
2020022159.tif 000038
【図２】
2020022159.tif 000039
【図３】
2020022159.tif 000040
【図４】
2020022159.tif 000041
【図５】
2020022159.tif 000042
【図６】
2020022159.tif 000043
【図７】
2020022159.tif 000044
【図８】
2020022159.tif 000045
【図９】
2020022159.tif 000046
【図１０】
2020022159.tif 000047
【図１１】
2020022159.tif 000048
【図１２】
2020022159.tif 000049
【図１３】
2020022159.tif 000050
【図１４】
2020022159.tif 000051
【図１５】
2020022159.tif 000052
【図１６】
2020022159.tif 000053
【図１７】
2020022159.tif 000054
【図１８】
2020022159.tif 000055
【図１９】
2020022159.tif 000056
【外国語明細書】
2020022159000001.pdf